【誤訳訂正書】
【提出日】平成29年5月2日(2017.5.2)
【誤訳訂正１】
【訂正対象書類名】明細書
【訂正対象項目名】０００９
【訂正方法】変更
【訂正の内容】
【０００９】
本発明は、以下の（Ａ１）、（Ａ２）および（Ｂ）：
（Ａ１）下式の単位からなる少なくとも１つのオルガノポリシロキサン樹脂からなる樹脂成分：
Ｒａ（ＯＨ）ｂ（Ｒ１Ｏ）ｃＳｉＯ（４−ａ−ｂ−ｃ）／２        （Ｉ）
（式中、
Ｒは同一でも異なっていてもよく、所望によりハロゲン原子またはＳｉ−結合ハロゲン原子により置換されていてもよい、一価のＳｉＣ−結合炭化水素基を示し、
Ｒ１は同一でも異なっていてもよく、所望により置換されていてもよい、一価の炭化水素基を示し、
ａは０、１、２、または３であり、
ｂは０、１、２、または３であり、
ｃは０、１、２、または３であり、
ただし、式（Ｉ）中、ａ＋ｂ＋ｃ≦３であり、
樹脂成分（Ａ１）中、式（Ｉ）の全単位の少なくとも２％においてｂ≧１であり、
樹脂成分（Ａ１）中、式（Ｉ）の全単位の１０％未満においてｃ≧１であり、
樹脂成分（Ａ１）中、式（Ｉ）の単位の最大５０％においてａ＝２であり、
該樹脂成分（Ａ１）は、５００ｇ／モル〜１１，０００ｇ／モルの平均分子量Ｍｗ（重量平均）、５００ｇ／モル〜５，０００ｇ／モルの平均分子量Ｍｎ（数平均）を有し、該樹脂成分（Ａ１）の多分散度（Ｍｗ／Ｍｎ）は、１〜５である。）
（Ａ２）下式の単位からなる少なくとも１つの有機ケイ素化合物からなる有機ケイ素成分：
Ｒ２ｄ（ＯＨ）ｅ（Ｒ３Ｏ）ｆＳｉＯ（４−ｄ−ｅ−ｆ）／２    （ＩＩ）
（式中、
Ｒ２は同一でも異なっていてもよく、所望によりハロゲン原子またはＳｉ結合ハロゲン原子により置換されていてもよい、一価のＳｉＣ−結合炭化水素基を示し、
Ｒ３は同一でも異なっていてもよく、所望により置換されていてもよい、一価の炭化水素基を示し、
ｄは０、１、または２であり、
ｅは０、１、２、または３であり、
ｆは０、１、２、または３であり、
ただし、式（ＩＩ）中、ｄ＋ｅ＋ｆ≦４であり、
有機ケイ素成分（Ａ２）中、式（ＩＩ）の全単位の少なくとも１０％においてｆ≧１であり、
有機ケイ素成分（Ａ２）中、式（ＩＩ）の全単位の２％未満においてｅ≧１であり、
有機ケイ素成分（Ａ２）中、式（ＩＩ）の単位の最大５０％において、ｄ＋ｅ＋ｆ≦３、ｄ＝２である。）、および
（Ｂ）少なくとも１つの充填剤：、
を含んでなる硬化性組成物を提供する。
【誤訳訂正２】
【訂正対象書類名】特許請求の範囲
【訂正対象項目名】全文
【訂正方法】変更
【訂正の内容】
【特許請求の範囲】
【請求項１】
（Ａ１）下式の単位からなる少なくとも１つのオルガノポリシロキサン樹脂を含んでなる樹脂成分：
Ｒａ（ＯＨ）ｂ（Ｒ１Ｏ）ｃＳｉＯ（４−ａ−ｂ−ｃ）／２      （Ｉ）
（式中、
Ｒは同一でも異なっていてもよく、所望によりハロゲン原子またはＳｉ−結合ハロゲン原子により置換されていてもよい、一価のＳｉＣ−結合炭化水素基を示し、
Ｒ１は同一でも異なっていてもよく、所望により置換されていてもよい、一価の炭化水素基を示し、
ａは０、１、２、または３であり、
ｂは０、１、２、または３であり、
ｃは０、１、２、または３であり、
ただし、式（Ｉ）中、ａ＋ｂ＋ｃ≦３であり、
前記樹脂成分（Ａ１）中、式（Ｉ）の全単位の少なくとも２％においてｂ≧１であり、
前記樹脂成分（Ａ１）中、式（Ｉ）の全単位の１０％未満においてｃ≧１であり、
前記樹脂成分（Ａ１）中、式（Ｉ）の単位の最大５０％においてａ＝２であり、
前記樹脂成分（Ａ１）は、５００ｇ／モル〜１１，０００ｇ／モルの平均分子量Ｍｗ（重量平均）、および５００ｇ／モル〜５，０００ｇ／モルの平均分子量Ｍｎ（数平均）を有し、前記樹脂成分（Ａ１）の多分散度（Ｍｗ／Ｍｎ）は、１〜５である。）
（Ａ２）下式の単位からなる少なくとも１つの有機ケイ素化合物からなる有機ケイ素成分：
Ｒ２ｄ（ＯＨ）ｅ（Ｒ３Ｏ）ｆＳｉＯ（４−ｄ−ｅ−ｆ）／２      （ＩＩ）
（式中、
Ｒ２は同一でも異なっていてもよく、所望によりハロゲン原子またはＳｉ−結合ハロゲン原子により置換されていてもよい、一価のＳｉＣ−結合炭化水素基を示し、
Ｒ３は同一でも異なっていてもよく、所望により置換されていてもよい、一価の炭化水素基を示し、
ｄは０、１、または２であり、
ｅは０、１、２、または３であり、
ｆは０、１、２、または３であり、
ただし、式（ＩＩ）中、ｄ＋ｅ＋ｆ≦４であり、
前記有機ケイ素成分（Ａ２）中、式（ＩＩ）の全単位の少なくとも１０％においてｆ≧１であり、
前記有機ケイ素成分（Ａ２）中、式（ＩＩ）の全単位の２％未満においてｅ≧１であり、
前記有機ケイ素成分（Ａ２）中、式（ＩＩ）の単位の最大５０％において、ｄ＋ｅ＋ｆ≦３、ｄ＝２である。）、ならびに
（Ｂ）少なくとも１つの充填剤
を含んでなる、硬化性樹脂組成物。
【請求項２】
成分（Ａ１）は、下式
ＲＳｉＯ３／２                          （ＩＩＩ）および、
ＲＳｉ（ＯＨ）Ｏ２／２                  （ＩＶ）
の単位、ならびに所望により、下式
ＲＳｉ（ＯＲ１）Ｏ２／２                  （Ｖ）
ＲＳｉ（ＯＲ１）２Ｏ２／２                （ＶＩ）
Ｒ２ＳｉＯ２／２                          （ＶＩＩ）および、
Ｒ２Ｓｉ（ＯＨ）Ｏ１／２                  （ＶＩＩＩ）の単位からなる群より選択される単位からなる、少なくとも１つのオルガノポリシロキサン樹脂からなる樹脂成分（Ａ１−１）であり、
式中、ＲおよびＲ１は、上述の意味の内の１つを有するが、ただし、
前記樹脂成分（Ａ１−１）において、式（ＩＶ）および（ＶＩＩＩ）の単位の合計は、式（ＩＩＩ）〜（ＶＩＩＩ）の全単位の総数に基づいて、樹脂成分（Ａ１−１）中少なくとも２％であり、
前記樹脂成分（Ａ１−１）において、式（Ｖ）および（ＶＩ）の単位の合計は、式（ＩＩＩ）〜（ＶＩＩＩ）の全単位の総数に基づいて、樹脂成分（Ａ１−１）中１０％以下であり、
前記樹脂成分（Ａ１−１）において、式（ＶＩＩ）および（ＶＩＩＩ）の単位の合計は、式（ＩＩＩ）〜（ＶＩＩＩ）の全単位の総数に基づいて、最大５０％であり、
前記樹脂成分（Ａ１−１）は、５００ｇ／モル〜１１，０００ｇ／モルの平均分子量Ｍｗ、および５００ｇ／モル〜５，０００ｇ／モルの平均分子量Ｍｎを有し、
前記樹脂成分（Ａ１−１）の多分散度（Ｍｗ／Ｍｎ）は、１〜５である、
請求項１に記載の硬化性樹脂組成物。
【請求項３】
成分（Ａ１）が、成分（Ａ２）に対して、９９：１〜５０：５０の重量比で用いられる、請求項１または２に記載の組成物。
【請求項４】
１００重量部の組成物に基づいて、１〜３０重量部の総量で、成分（Ａ１）および（Ａ２）を含んでなる、請求項１〜３のいずれか一項に記載の組成物。
【請求項５】
１００重量部の組成物に基づいて、７０〜９９重量部の総量で、充填材（Ｂ）を含んでなる、請求項１〜４のいずれか一項に記載の組成物。
【請求項６】
所望の順序でそれぞれの成分を混合することによる、請求項１〜５のいずれか一項に記載の組成物の製造方法。
【請求項７】
成分の混合を、用いられる有機ケイ素成分（Ａ２）の沸点の少なくとも２０Ｋ低い温度で行う、請求項６に記載の方法。
【請求項８】
請求項１〜５の一項以上に記載の組成物を架橋することにより製造される、成形体。
【請求項９】
人工石である、請求項８に記載の成形体。
【請求項１０】
請求項１〜５の一項以上に記載の組成物、または請求項６もしくは７に記載の方法により製造された組成物を、成形し、架橋させる、人工石の製造方法。